(57)【要約】【課題】多数の保留ジョブが長期間保留されている場合、個々のジョブが保留されたミスマッチ要因を、一括して把握することができ、効率よく保留状態を解除することができる印刷システム及び印刷装置を提供することを目的とする。【解決手段】ホスト装置と印刷装置とを具備する印刷システムにおいて、印刷ジョブの印刷条件が、上記印刷装置の設定状態とミスマッチしている場合、上記印刷ジョブを保留ジョブとして、上記印刷装置に、保留する印刷ジョブ保留手段と、ミスマッチ要因が解消された場合、上記印刷ジョブ保留手段における保留を解除する解除手段と、ミスマッチ要因に対する条件毎に、上記保留ジョブを、並び替えて表示する保留ジョブ並び替え手段とを有することを特徴とする印刷システムである。【選択図】図１
2010198496.tif 000002
【特許請求の範囲】
【請求項１】
ホスト装置と印刷装置とを具備する印刷システムにおいて、
印刷ジョブの印刷条件が、上記印刷装置の設定状態とミスマッチしている場合、上記印刷ジョブを保留ジョブとして、上記印刷装置に、保留する印刷ジョブ保留手段と；
ミスマッチ要因が解消された場合、上記印刷ジョブ保留手段における保留を解除する解除手段と；
ミスマッチ要因に対する条件毎に、上記保留ジョブを並び替えて表示する保留ジョブ並び替え手段と；
を有することを特徴とする印刷システム。
【請求項２】
請求項１であって、
上記保留ジョブ並び替え手段は、
設定値の発生順に応じて、並び替える手段と；
設定値の発生数順に応じて、並び替える手段と；
解消手番の最小順に応じて、並び替える手段と；
設定値毎の合計データ容量順に応じて、並び替える手段と；
のうちの少なくとも１つの並び替え手段を選択可能であることを特徴とする印刷システム。
【請求項３】
請求項１または請求項２であって、
特定の保留ジョブについて、保留解除の除外を設定する手段を有することを特徴とする印刷システム。
【請求項４】
印刷装置において、
印刷ジョブの印刷条件が、上記印刷装置の設定状態とミスマッチしている場合、上記印刷ジョブを保留ジョブとして、保留する印刷ジョブ保留手段と；
ミスマッチ要因が解消された場合、上記印刷ジョブ保留手段における保留を解除する解除手段と；
ミスマッチ要因に対する条件毎に、上記保留ジョブを並び替えて表示する保留ジョブ並び替え手段と；
を有することを特徴とする印刷装置。
【請求項５】
請求項４であって、
上記保留ジョブ並び替え手段は、
設定値の発生順に応じて、並び替える手段と；
設定値の発生数順に応じて、並び替える手段と；
解消手番の最小順に応じて、並び替える手段と；
設定値毎の合計データ容量順に応じて、並び替える手段と；
のうちの少なくとも１つの並び替え手段を選択可能であることを特徴とする印刷装置。
【請求項６】
請求項４または請求項５であって、
特定の保留ジョブについて、保留解除の除外を設定する手段を有することを特徴とする印刷装置。
【発明の詳細な説明】
【技術分野】
【０００１】
本発明は、印刷を指示するホストコンピュータやパーソナルコンピュータ等のホスト装置と、このホスト装置が生成した印刷ジョブを受信し、印刷する印刷装置とを有する印刷システムに関する。本発明は、特に、印刷ジョブの印刷条件（用紙種類や用紙サイズ等）と、印刷装置の設定状態との間で、ミスマッチが発生した場合に、保留ジョブとして、印刷装置内にジョブを保留する印刷システム及び印刷装置に関する。
【背景技術】
【０００２】
従来、印刷ジョブの印刷条件と、印刷装置の設定状態との間で、ミスマッチが発生した場合、保留ジョブとして、印刷装置内にジョブを保留し、後続の印刷可能なジョブを優先して印刷する技術が知られている。
【０００３】
ミスマッチ要因が解消されると、保留されたジョブを印刷する。ミスマッチ要因が解消された保留ジョブが複数存在する場合、複数の保留ジョブの印刷を、暗黙に開始する技術も知られている。
【０００４】
保留ジョブは、印刷装置内の記憶装置に設けられている一時記憶領域に保存され、保留可能なジョブ数と、保存可能な一時記憶領域の容量とには制限がある。保留ジョブは、速やかに、ミスマッチ要因を解消し、保留状態を解除することが好ましい。
【０００５】
従来、ジョブを管理する手段の中には、保留ジョブであることを、識別可能にした装置や、保留ジョブを対象とした管理手段が知られている（たとえば、特許文献１参照）。
【先行技術文献】
【特許文献】
【０００６】
【特許文献１】特開２００４−２８８０３２号公報
【発明の概要】
【発明が解決しようとする課題】
【０００７】
しかし、Ａ１やＡ０等、大判サイズの印刷が可能な印刷装置において、長尺のロール紙を給紙手段とする利用形態が主流であり、このロール紙を途中で交換することは、ロール紙のサイズや重量が要因で、非常に手間がかかる。ミスマッチが発生しても、保留状態を解除することが困難であるので、長期間保留状態となるジョブも存在している。長期間保留状態が続く場合、保留されているジョブの数が増加する。長期間保留した多数のジョブは、どのようなミスマッチ要因で保留ジョブになったのかを再確認する必要がある。
【０００８】
従来の保留ジョブ管理手段は、保留ジョブの名称、ユーザ名、日時等、情報を単に列挙し、印刷再開やジョブの削除を行う手段であり、複数の保留ジョブが、どのようなミスマッチ要因で発生しているのかを、一括で把握することができない。
【０００９】
また、保留ジョブは、印刷装置内の記憶装置に設けられている一時記憶領域に保存され、保留可能なジョブ数と保存可能な一時記憶領域の容量とには、制限があるにも関らず、従来の保留ジョブ管理手段では、効率よく保留状態を解除することができない。
【００１０】
また、ロール紙での印刷の特徴は、ロール紙と出力用紙サイズとが一致していなくても、ロール紙の中に出力用紙サイズが収まるジョブは、印刷可能である。このように、用紙サイズがミスマッチ要因であるとして保留ジョブが発生した場合、ミスマッチ要因を解消する幅サイズのロール紙を、印刷装置にセットすると、意図しないサイズのジョブが保留解除されるという問題がある。
【００１１】
たとえば、Ａ１サイズの保留ジョブを、Ａ１幅サイズのロール紙に印刷したい場合、Ａ１サイズ幅のロール紙より先に、Ａ０幅サイズ（Ａ１幅サイズ以上）のロール紙を印刷装置にセットすると、ミスマッチ要因は解消される。したがって、保留状態が解除され、意図せず印刷されるので、ロール紙が無駄になるという問題がある。
【００１２】
本発明は、多数の保留ジョブが長期間保留されている場合、個々のジョブが保留されたミスマッチ要因を、一括して把握することができ、効率よく保留状態を解除することができる印刷システム及び印刷装置を提供することを目的とする。
【００１３】
また、本発明は、保留ジョブが保留されている場合、意図しない保留ジョブの保留解除を回避しつつ、保留ジョブを処理する印刷システム及び印刷装置を提供することを目的とする。
【課題を解決するための手段】
【００１４】
本発明は、ホスト装置と印刷装置とを具備する印刷システムにおいて、印刷ジョブの印刷条件が、上記印刷装置の設定状態とミスマッチしている場合、上記印刷ジョブを保留ジョブとして、上記印刷装置に、保留する印刷ジョブ保留手段と、ミスマッチ要因が解消された場合、上記印刷ジョブ保留手段における保留を解除する解除手段と、ミスマッチ要因に対する条件毎に、上記保留ジョブを、並び替えて表示する保留ジョブ並び替え手段とを有することを特徴とする印刷システムである。
【発明の効果】
【００１５】
本発明によれば、多数の保留ジョブのミスマッチ要因を一括で把握することができ、効率よく保留状態を解除することができるという効果を奏する。
【図面の簡単な説明】
【００１６】
【図１】本発明を適用した印刷システムＰＳ１の構成を示すブロック図である。
【図２】印刷装置２００においてジョブリストを生成するフローチャートである。
【図３】従来例で、プリントモニタを使用してジョブリスト等を処理する図である。
【図４】実施例１において、保留ジョブリストＬ１を示す図である。
【図５】保留ジョブリストＬ２を示す図である。
【図６】リスト表示手段３４における別の表示例を示す図である。
【図７】発生数順表示３２が選択されている場合のフローチャートである。
【図８】発生順表示３１が選択されている場合のフローチャートである。
【図９】容量順表示３３が選択されている場合のフローチャートである。
【図１０】手番最小順表示４０が選択されている場合のフローチャートである。
【発明を実施するための形態】
【００１７】
発明を実施するための形態は、以下の実施例である。
【実施例１】
【００１８】
図１は、本発明の実施例１である印刷システムＰＳ１の構成を示すブロック図である。
【００１９】
印刷システムＰＳ１は、ホスト装置１００と印刷装置２００とを有する。
【００２０】
ホスト装置１００に、ＨＤＤ１０２が設けられている。ＨＤＤ１０２は、ハードディスクであり、オペレーティングシステム（ＯＳ）と、印刷装置２００を制御するソフトウェアであるプリンタドライバとが、インストールされている。また、ＨＤＤ１０２には、印刷装置２００と双方向通信を行い印刷ジョブの管理や印刷装置２００のステータス管理等を行うプリントモニタと、各種文書とを作成するアプリケーションとが、インストールされている。
【００２１】
ホスト装置１００は、ＣＰＵ１０１と、ＨＤＤ１０２と、システムバス１０３と、ＲＡＭ１０４と、外部メモリ１０５と、入力部１０６と、表示部１０７と、通信部１０８とを有する。
【００２２】
ＣＰＵ１０１は、ＨＤＤ１０２のような記憶装置に記憶されている制御プログラムに基づいて、システムバス１０３に接続されている各デバイスを制御し、ＯＳやアプリケーション、プリンタドライバやプリントモニタ等の処理を制御する。
【００２３】
ＲＡＭ１０４は、主としてＣＰＵ１０１のワークエリアを提供するメモリである。ＲＡＭ１０４上には、システムプログラムとして、ＯＳ、デバイスドライバ（プリンタドライバ含む）等が常駐する。
【００２４】
外部メモリ１０５は、ＦＤ（フレキシブルディスク）、ＣＤ−ＲＯＭ、ＭＯ等の記録媒体である。入力部１０６は、具体的には、マウス、キーボード等を含むユーザコマンド入力装置であり、ユーザからのコマンドを直接またはユーザインタフェースで提供される各種のウィンドウ上のアイコン、ボタン等の指示入力を受け付ける。
【００２５】
表示部１０７は、ＣＲＴディスプレイ、液晶ディスプレイ等で構成され、ＯＳ、アプリケーション、プリンタドライバ、プリントモニタ等のユーザインタフェースを表示する。
【００２６】
通信部１０８は、ＩＥＥＥ１２８４のパラレルインタフェース、ＩＥＥＥ１３９４、ＵＳＢ等のシリアルインタフェース、ＬＡＮ等のネットワークを介して、印刷装置２００に接続され、印刷装置２００との間でデータを送受信する。
【００２７】
印刷装置２００には、ＣＰＵ２０１と、ＲＯＭ２０２と、システムバス２０３と、ＲＡＭ２０４と、ＨＤＤ２０５と、操作部２０６と、記録部２０７と、搬送部２０８と、通信部２０９とが設けられている。
【００２８】
ＣＰＵ２０１は、プログラムを提供するＲＯＭ２０２に記憶されている制御プログラムを実行し、システムバス２０３に接続されている各デバイスへのアクセスを制御する。ＲＡＭ２０４は、主としてＣＰＵ２０１のワークエリアを提供する。ＲＯＭ２０２には、ＣＰＵ２０１が実行すべき制御プログラム、印刷用画処理テーブル等が記憶されている。
【００２９】
ＨＤＤ２０５は、印刷ジョブの一時記憶領域や恒久記憶領域、用紙種毎の画処理テーブルの記憶領域等、多種類の記憶領域やワークエリアを提供する。
【００３０】
操作部２０６は、ＬＥＤや液晶ディスプレイ、操作ボタン等を備え、ユーザからの入力を受け付けるとともに、情報を表示する。搬送部２０８は、プリンタ内部で印刷用紙の搬送を制御する。記録部２０７は、電子写真方式、インクジェット方式等の任意の記録方式によって、印刷用紙に印刷を実行する。通信部２０９は、ＩＥＥＥ１２８４のパラレルインタフェース、ＩＥＥＥ１３９４、ＵＳＢ等のシリアルインタフェース、ＬＡＮ等のネットワークを介して、ホスト装置１００に接続され、ホスト装置１００との間で、データを送受信する。
【００３１】
図２は、印刷装置２００において、ジョブリストを生成する動作の概略を示すフローチャートである。
【００３２】
印刷装置２００は、Ｓ１５０で、受信した印刷ジョブ（対象ジョブ）に含まれている用紙種類や用紙サイズや印刷の向き等の印刷条件を取得する。続いて、Ｓ１５１で、自印刷装置２００に設定されている用紙種類やロール紙幅サイズ等の設定情報を取得する。
【００３３】
Ｓ１５２で、取得した印刷ジョブの印刷条件と、自印刷装置２００の設定情報とを比較し、ミスマッチが存在するかどうかを判定する。Ｓ１５２でミスマッチなしと判定されると、Ｓ１５３で、現在印刷中のジョブが存在するかどうかを判定する。Ｓ１５３で印刷中のジョブが存在しないと判定されると、Ｓ１５４で、対象ジョブを印刷中ジョブとして、ジョブリストに登録し、印刷処理を行う。Ｓ１５３で印刷中のジョブが存在すると判定されると、Ｓ１５５で、対象ジョブを印刷待機中ジョブとして、ジョブリストに登録し、印刷待機処理を行う。
【００３４】
Ｓ１５２でミスマッチありと判定されると、Ｓ１５６で、自印刷装置２００の設定がミスマッチ時に保留ジョブとする設定であるのかどうかを判定する。Ｓ１５６でミスマッチ時は保留ジョブとする設定であれば、Ｓ１５７で、ミスマッチが、用紙種類によるものなのか、用紙サイズによるものなのか、または、フチなし印刷の有無によるものなのか等のミスマッチ種別を、ジョブ管理情報（不図示）にセットする。続いて、Ｓ１５８で、対象ジョブを保留ジョブとして、ジョブリストに登録し、保留処理を行う。
【００３５】
Ｓ１５６でミスマッチ時は保留ジョブとする設定ではないと判断されれば、Ｓ１５９で、自印刷装置２００に設定されているミスマッチ時の処理方法である対象ジョブの強制印刷やジョブキャンセル等、その他の処理を実行する。
【００３６】
実施例１は、印刷ジョブの印刷条件と自印刷装置２００の設定情報とがミスマッチである場合に、印刷装置２００が、保留ジョブにする設定であることを想定している。
【００３７】
図３は、従来例において、プリントモニタを使用して、ジョブリストとジョブプロパティとを処理する例を示す図である。
【００３８】
印刷装置のＨＤＤに設けられている一時記憶領域には、印刷中のジョブや印刷待機中のジョブ群２１６と、用紙種のミスマッチによって保留された保留ジョブ群２１７とが存在する。ジョブ群２１６と保留ジョブ群２１７とが、領域を区分せずに、混在領域であってもよい。
【００３９】
印刷装置に、普通紙がセットされている状態で、ジョブ１からジョブ１５が、印刷済み、または、保留中の状況であり、ジョブ１６が、印刷中であり、後続のジョブ１７とジョブ１８とが、印刷待機中の状況である。
【００４０】
プリントモニタが表示するジョブリスト５０は、印刷装置において、ジョブの処理状況を表示しているリスト例である。
【００４１】
ジョブリスト中のジョブ３の処理状況をステータス欄５１で確認すると、“保留中”という状況であることを確認できる。しかし、従来例では、ジョブ３が何故保留中であるのかについての情報が、ジョブリスト５０には存在しない。
【００４２】
個々のジョブの詳細情報は、ジョブプロパティ５２を表示して確認することが可能である。ジョブプロパティ５２は、たとえば、ジョブリスト５０上の対象ジョブを、マウスでダブルクリックすると、表示され、図３に示すジョブプロパティ５２は、ジョブリスト５０上で、ジョブ３をマウスのダブルクリックで表示した例である。
【００４３】
ジョブプロパティ５２には、ジョブ３に関する用紙種や用紙サイズ等の情報が表示されている。
【００４４】
印刷装置には、普通紙がセットされているので、ガイド手段５３で、ジョブ３の対象用紙種である光沢紙をセットするように、ガイドされている。
【００４５】
従来例では、ジョブリスト５０上で、ジョブ３が保留ジョブであることを認識できるが、何故、保留状態にあるのかについては、ジョブプロパティ５２で確認するしか手段がない。また、従来例では、図３においては、ジョブ５も保留ジョブであるが、ジョブ３とジョブ５との保留状態を確認するには、個別にジョブプロパティ５２で確認しなければならない煩わしさもある。
【００４６】
図４は、実施例１において、保留ジョブリストＬ１を示す図であり、印刷ジョブの用紙種についてミスマッチが発生した場合の例を示す図である。
【００４７】
保留ジョブリストＬ１は、保留ジョブ並び替え方法選択欄３０ａと、リスト表示手段３４と、ミスマッチ解消ガイド手段３５と、印刷開始手段３６と、削除手段３７と、キャンセル手段３８とを有する。
【００４８】
保留ジョブ並び替え方法選択欄３０ａは、ミスマッチ要因に対する条件毎に、上記保留ジョブを、並び替えて表示する手段であり、発生順表示３１と、発生数順表示３２と、容量順表示３３とが設けられている。発生順表示３１がマークされると、ミスマッチ要因を、その発生順に表示していることを示す。発生数順表示３２がマークされると、ミスマッチ要因を、その発生数順に表示していることを示す。容量順表示３３がマークされると、ミスマッチ要因を、その容量順に表示していることを示す。
【００４９】
保留ジョブ並び替え方法選択欄３０ａに、発生数順表示３２が選択されている状態を、図４に示してある。
【００５０】
発生数順表示３２は、印刷装置２００のＨＤＤ２０５に設けられている一時記憶領域２１５に保留されている保留ジョブ群２１７から、ミスマッチ要因の用紙種についての保留ジョブ毎の設定値に関して、ジョブ数の多いもの順にリストアップする。そして、このリストが、リスト表示手段３４に表示される。保留ジョブ群２１７は、コート紙での印刷ジョブが最多である保留ジョブであるので、リスト表示手段３４には、コート紙の保留ジョブをリスト表示している。
【００５１】
ミスマッチ解消ガイド手段３５は、保留状態を解除するためのガイドを表示する手段であり、印刷装置２００へコート紙をセットするように促すガイドを表示する。
【００５２】
印刷開始手段３６は、リスト表示手段３４に表示されている保留ジョブ群の印刷を再開するために、押下する手段である。印刷開始手段３６は、印刷中のジョブや印刷待機中のジョブが存在する場合、操作不可とすることが好ましい。つまり、印刷中や印刷待機中のジョブが存在する場合、用紙種を交換すると、印刷待機中のジョブが保留ジョブになることがあり、また、処理順位として待機中よりも保留中を優先するメリットが少ない。
【００５３】
したがって、印刷開始手段３６は、印刷中や印刷待機中のジョブが無い場合には、ミスマッチ解消ガイド手段３５に表示されている内容に対処した後の任意のタイミングで、保留ジョブの印刷を開始する。なお、ミスマッチ解消ガイド手段３５に表示されている内容に対処したことを検知する自動検知手段を、印刷装置２００に設ければ、自動検知後に印刷開始手段３６を操作可能にすることができる。
【００５４】
削除手段３７は、リスト表示手段３４に表示されている保留ジョブ群を削除する手段である。印刷の必要性がなくなり、保留状態を維持する必要が無い場合に押下される手段である。
【００５５】
キャンセル手段３８は、保留状態を維持したままミスマッチ解消処理をキャンセルする手段ある。
【００５６】
保留ジョブ並び替え方法選択欄３０ａに、発生順表示３１が選択されていれば、最初にミスマッチが発生し保留されたジョブ３の設定値である光沢紙によって、保留ジョブがピックアップされる。この結果、用紙種を光沢紙に交換すればミスマッチ要因が解消するジョブ３、ジョブ６が、リスト表示手段３４に表示される。
【００５７】
また、保留ジョブ並び替え方法選択欄３０ａに、容量順表示３３が選択されると、ミスマッチ要因の用紙種毎の保留ジョブにおける合計データ容量の最大となるジョブをピックアップし、リスト表示手段３４に表示する。
【００５８】
図５は、保留ジョブリストＬ２を示す図である。
【００５９】
保留ジョブリストＬ２は、保留ジョブリストＬ１において、容量順表示３３の代わりに、手番最小順表示４０が設けられているリストである。図５に示す状態では、手番最小順表示４０が選択されている。なお、上記手番は、工程のことである。
【００６０】
手番最小順表示４０は、発生数順表示３２において、ピックアップした保留ジョブ群の、ミスマッチ要因とは別の印刷ジョブ付属情報も考慮し、保留ジョブをリストアップし直し、リスト表示手段３４に表示されていることを示す。
【００６１】
また、ミスマッチ解消ガイド手段３５に、印刷ジョブ付属情報を考慮したガイドを付加し、ミスマッチ要因の解消手番を最小にするためにガイドする。例において、ミスマッチ要因とは別の印刷ジョブ付属情報として、用紙サイズを考慮し、リスト表示手段３４にピックアップしたコート紙の保留ジョブの中で、最も大きいサイズであるＡ１サイズのロール紙を、印刷装置２００にセットすることをガイドしている。
【００６２】
ユーザが、コート紙のＡ１サイズロール紙よりも先に、コート紙のＡ３サイズロール紙を印刷装置２００にセットした場合、図５に示すリスト表示手段３４にピックアップしたコート紙の保留ジョブの内で、ミスマッチ要因が解消されるのは、次のジョブである。ミスマッチ要因が解消されるジョブは、ジョブ７、ジョブ１１の２つのジョブのみであり、ジョブ５とジョブ１２とは、保留ジョブのままである。
【００６３】
続いて、コート紙のＡ２サイズロール紙を、印刷装置２００にセットした場合、ミスマッチ要因が解消されるジョブは、ジョブ１２であり、ジョブ５は、保留ジョブのままである。ジョブ５のミスマッチ要因を解消するには、さらに、コート紙のＡ１サイズロール紙を印刷装置２００にセットする必要がある。
【００６４】
つまり、最大で３手番を要する場合があるが、図５に示すミスマッチ解消ガイド手段３５は、１手番で足りることをガイドしている。
【００６５】
また、図５に示す例では、保留解除除外手段４１が設けられ、保留解除除外手段４１が、ジョブ１２を保留解除除外指定している。
【００６６】
コート紙のＡ１サイズロール紙を、ユーザが印刷装置２００にセットした場合、リスト表示手段３４にピックアップされているコート紙の保留ジョブ、ジョブ５、ジョブ７、ジョブ１１、ジョブ１２の全てのジョブについて、ミスマッチ要因が解消される。そして、保留解除可能である。しかし、ジョブ１２は、保留解除を意図的に除外している。これによって、意図せずに保留解除されることを防ぐことができる。
【００６７】
図６は、リスト表示手段３４における別の表示例を示す図である。
【００６８】
保留ジョブ並び替え方法選択欄３０ａにおいて、発生数順表示３２が選択されているとする。
【００６９】
保留ジョブの発生数として、コート紙によるミスマッチジョブが４個、光沢紙によるミスマッチジョブが２個、フォト光沢紙によるミスマッチジョブが１個であるので、コート紙・光沢紙・フォト光沢紙の順で、リストアップされている。
【００７０】
リスト表示手段３４によれば、保留ジョブの全てを、ミスマッチ設定値のラベル（“コート紙：”、“光沢紙：”、“フォト光沢紙：”等の文字列）下にリストアップしているので、保留されているミスマッチ要因を、一括で確認することができる。
【００７１】
図７は、保留ジョブ並び替え方法選択欄３０ａにおいて、発生数順表示３２が選択されている場合、リスト表示手段３４とミスマッチ解消ガイド手段３５とが処理する概要を示すフローチャートである。
【００７２】
Ｓ３００で、印刷装置２００のＨＤＤ２０５に設けられている一時記憶領域２１５に存在するジョブのリストを取得し、Ｓ３０１で、ジョブリストの終りを判定するまで、Ｓ３０２で、処理対象ジョブが保留ジョブであるかどうかを判定する。
【００７３】
保留ジョブであると判定すると、Ｓ３０３で、保留ジョブのミスマッチ要因である用紙種の設定値を、用紙種別にカウントする。Ｓ３０１でジョブリストの終りであると判定したら、Ｓ３０４で、用紙種別カウント数順によって、保留ジョブをリスト化する。続いて、Ｓ３０５で、保留ジョブリストを表示する。このときに、表示するリストは、保留ジョブ全体でもよく、カウント最多の用紙種の保留ジョブのみでもよい。
【００７４】
続いて、Ｓ３０６で、ミスマッチ解消ガイドを生成し、Ｓ３０７で、ミスマッチ解消ガイドを表示する。
【００７５】
発生数順表示３２は、保留ジョブに保留個数が制限されている場合、同じ要因で解消になる最多数保留ジョブを優先的に処理することによって、保留個数制限を回避することができる。
【００７６】
図８は、保留ジョブ並び替え方法選択欄３０ａで、発生順表示３１が選択されている場合、リスト表示手段３４とミスマッチ解消ガイド手段３５とにおける処理の概要を示すフローチャートである。
【００７７】
Ｓ４００で、印刷装置２００のＨＤＤ２０５に設けられている一時記憶領域２１５に存在するジョブのリストを取得し、Ｓ４０１で、ジョブリストの終りであると判定するまで、Ｓ４０２で、処理対象ジョブが保留ジョブかどうかを判定する。保留ジョブであると判定すると、Ｓ４０３で、保留ジョブのミスマッチ要因である用紙種が、発生順リストに登録済みの用紙種であるかどうかを判定する。
【００７８】
Ｓ４０３で、発生順リストに未登録の用紙種であると判定すると、Ｓ４０４で、発生順リストの後端に、未登録用紙種を登録する。Ｓ４０１でジョブリストの終りであると判定すると、Ｓ４０５で、発生順リストの用紙種順によって、保留ジョブをリスト化する。続いて、Ｓ４０６で、保留ジョブリストを表示する。このときに、表示するリストは、保留ジョブ全体でもよく、最初に発生した用紙種の保留ジョブのみでもよい。続いて、Ｓ４０７で、ミスマッチ解消ガイドを生成し、Ｓ４０８で、ミスマッチ解消ガイドを表示する。
【００７９】
発生順表示３１によって、最初に発生した保留ジョブをいつまでも保留状態にすることを回避することができる。
【００８０】
図９は、保留ジョブ並び替え方法選択欄３０ａに、容量順表示３３が選択されている場合、リスト表示手段３４とミスマッチ解消ガイド手段３５とにおける処理の概要を示すフローチャートである。
【００８１】
Ｓ５００で、印刷装置２００のＨＤＤ２０５に設けられている一時記憶領域２１５に存在するジョブのリストを取得し、Ｓ５０１で、ジョブリストの終りであると判定するまで、Ｓ５０２で、処理対象ジョブが保留ジョブであるかどうかを判定する。保留ジョブであると判定すると、Ｓ５０３で、保留ジョブのミスマッチ要因である用紙種の設定値毎に設けた用紙種別の合計容量値へ、当該ジョブ容量を加算する。
【００８２】
Ｓ５０１でジョブリストの終りであると判定すれば、Ｓ５０４で、合計容量値の大きい用紙種順に、保留ジョブをリスト化する。続いて、Ｓ５０５で、保留ジョブリストを表示する。このときに、表示するリストは、保留ジョブ全体でもよく、合計容量最大の用紙種の保留ジョブのみを表示するようにしてもよい。続いて、Ｓ５０６で、ミスマッチ解消ガイドを生成し、Ｓ５０７で、ミスマッチ解消ガイドを表示する。
【００８３】
容量順表示３３は、印刷装置２００のＨＤＤ２０５に設けられている一時記憶領域２１５に、保留ジョブの保存領域制限が存在する場合、最大領域を開放することができる。
【００８４】
図１０は、保留ジョブ並び替え方法選択欄３０ｂに、手番最小順表示４０が選択されている場合、リスト表示手段３４とミスマッチ解消ガイド手段３５とにおける処理の概要を示すフローチャートである。
【００８５】
Ｓ６００で、印刷装置２００のＨＤＤ２０５に設けられている一時記憶領域２１５に存在するジョブのリストを取得する。Ｓ６０１で、ジョブリストの終りであると判定するまで、Ｓ６０２で、処理対象ジョブが保留ジョブであるかどうかを判定する。保留ジョブであると判定すれば、Ｓ６０３で、保留ジョブのミスマッチ要因である用紙種の設定値を、用紙種別にカウントする。続いて、Ｓ６０４で、保留ジョブの用紙種別最大用紙サイズよりも、処理対象ジョブの用紙サイズが大きい場合、用紙種別最大用紙サイズを更新する。
【００８６】
Ｓ６０１でジョブリストの終りであると判定すれば、Ｓ６０５で、用紙種別カウント数順で、保留ジョブをリスト化する。続いて、Ｓ６０６で、保留ジョブリストを表示する。このときに、表示するリストは、保留ジョブ全体でもよく、カウント最多の用紙種の保留ジョブのみでもよい。続いて、Ｓ６０７で、用紙種と用紙種別最大用紙サイズとを考慮し、手番最小となるミスマッチ解消ガイドを生成する。Ｓ６０８で、ミスマッチ解消ガイドを表示する。
【００８７】
手番最小順表示４０は、保留ジョブに、保留個数の制限が存在する場合、同じ要因で解消となる最多数保留ジョブを優先的に処理することによって、保留個数制限を回避することができる。また、ミスマッチ解消の手番を最小にすることができる。
【００８８】
なお、上記実施例において、図４、図５に示すように、プリントモニタ上で実施しているが、印刷装置２００の操作部２０６において、実施するようにしてもよい。
【００８９】
また、図４、図５において、保留ジョブ並び替え手段を１つ以上から選択可能な場合で実施しているが、選択手段を無くし、特定の保留ジョブ並び替え手段において実施するようにしてもよい。
【００９０】
上記実施例によれば、多数の保留ジョブのミスマッチ要因を一括で把握することができ、効率よく保留状態を解除することができる。また、上記実施例によれば、ミスマッチ要因の解消は、複数の並び替え手段の中からユーザが所望する順序で、保留状態を解除することができる。さらに、上記実施例によれば、特定保留ジョブの意図しない保留解除を回避しつつ、保留状態を解除することができる。
【００９１】
ＨＤＤ２０５は、印刷ジョブの印刷条件が、印刷装置の設定状態とミスマッチしている場合、上記印刷ジョブを保留ジョブとして、上記印刷装置内に、保留する印刷ジョブ保留手段の例である。ＣＰＵ２０１は、ミスマッチ要因が解消された場合、上記印刷ジョブ保留手段における保留を解除する解除手段の例であり、ミスマッチ要因に対する条件毎に、上記保留ジョブを並び替えて表示する保留ジョブ並び替え手段の例である。
【００９２】
この場合、上記保留ジョブ並び替え手段は、次の並び替える手段のうちの少なくとも１つの並び替え手段を選択可能である。つまり、設定値の発生順に応じて、並び替える手段と、設定値の発生数順に応じて、並び替える手段と、解消手番の最小順に応じて、並び替える手段と、設定値毎の合計データ容量順に応じて、並び替える手段とのうちの少なくとも１つを選択可能である。また、特定の保留ジョブについて、保留解除の除外を設定する手段を有する。
【符号の説明】
【００９３】
ＰＳ１…印刷システム、
３０ａ、３０ｂ…保留ジョブ並び替え方法選択欄、
３１…発生順表示、
３２…発生数順表示、
３３…容量順表示、
３４…リスト表示手段、
４１…保留解除除外手段、
５０…ジョブリスト。
【図１】
2010198496.tif 000003
【図２】
2010198496.tif 000004
【図３】
2010198496.tif 000005
【図４】
2010198496.tif 000006
【図５】
2010198496.tif 000007
【図６】
2010198496.tif 000008
【図７】
2010198496.tif 000009
【図８】
2010198496.tif 000010
【図９】
2010198496.tif 000011
【図１０】
2010198496.tif 000012